(57)【要約】【課題】  電動鋸に設けられた切断刃カバーを滑らかに押し開くことが可能であり、切断刃を確実かつ十分に露出させることができる構成とされた軒樋切断治具を提供する。【解決手段】  本発明にかかる軒樋切断治具１は、切断される軒樋１２の外面に着脱自在で被着されるガイド部材２と、切断刃１４を備えた電動鋸１５のベース板１６に着脱自在で装着される被ガイド部材１７とを備えている。そして、ガイド部材２は、被ガイド部材１７の摺動する摺動部３が形成されたガイド部材本体４と、摺動部３を挟んで対向し、外方に向かって立設された一対のガイド壁５とを具備しており、電動鋸１５の切断刃１４を被って開閉自在に設けられた切断刃カバー２４の開放側端部２４ａが当接するガイド壁５それぞれの両端部６，７は、切断刃カバー２４を滑らかに押し開くのに適した外面形状を有している。【選択図】  図２
2005088122.tif 000002
【特許請求の範囲】
【請求項１】
切断される軒樋の外面に着脱自在で被着されるガイド部材と、切断刃
を備えた電動鋸のベース板に着脱自在で装着される被ガイド部材とからなり、この被ガイ
ド部材がガイド部材によりガイドされながら移動するのに伴って電動鋸の切断刃が軒樋を
切断するのに使用される軒樋切断治具であって、
ガイド部材は、被ガイド部材の摺動する摺動部が形成されたガイド部材本体と、摺動部
を挟んで対向し、外方に向かって立設された一対のガイド壁とを具備しており、電動鋸の
切断刃を被って開閉自在に設けられた切断刃カバーの開放側端部が当接するガイド壁それ
ぞれの両端部は、切断刃カバーを滑らかに押し開くのに適した外面形状を有していること
を特徴とする軒樋切断治具。
【請求項２】
ガイド壁それぞれの両端部の外面形状は、電動鋸の前進方向と交差す
る方向で外拡がりとなる向きに傾斜した形状であることを特徴とする請求項１に記載した
軒樋切断治具。
【請求項３】
ガイド壁それぞれは、電動鋸の切断刃カバーを押し開いたまま維持し
続けるのに適した外面形状及び厚みを有していることを特徴とする請求項１または請求項
２に記載した軒樋切断治具。
【発明の詳細な説明】
【技術分野】
【０００１】
本発明は軒樋切断治具にかかり、特には、電動鋸の切断刃カバーを滑らかに押し開くた
めの構造に関する。
【背景技術】
【０００２】
従来から、軒樋をその長手方向の任意位置で切断する際には、切断される軒樋の外面に
ガイド部材を被着しておき、このガイド部材によって電動鋸の切断刃をガイドさせること
が行われている。例えば、特許文献１には、図示省略しているが、軒樋の外面形状と対応
した内面形状を有し、かつ、外方に向かって立設された側壁が側端位置に配置されてなる
ガイド部材が開示されており、このガイド部材を使用して軒樋を切断する場合は、軒樋に
被着されたガイド部材の側壁に沿って電動鋸の切断刃を移動させることにより軒樋が切断
される。
【０００３】
しかしながら、この種のガイド部材を使用した軒樋の切断作業にあっては、何かの拍子
で電動鋸の切断刃がガイド部材の側壁から離れて位置ずれを起こすことがあり、切断刃が
位置ずれを起こすと、軒樋の切断面が乱れることになり、切断面の仕上がり状態が不良と
なってしまう。このような不都合の発生を防止する必要上、ガイド部材及び被ガイド部材
からなる軒樋切断治具、つまり、図５で取付状態を示すような軒樋切断治具１１が既に提
案されている。
【０００４】
すなわち、この軒樋切断治具１１は、軒樋１２の外面に着脱自在で被着されるガイド部
材１３と、切断刃１４を具備した電動鋸１５のベース板１６に着脱自在で装着される被ガ
イド部材１７とを備えている。そして、ここでのガイド部材１３は、図６及び図７で示す
ように、軒樋１２の外面と対応した湾曲形状を有し、被ガイド部材１７の摺動する摺動部
１８が外側に形成されたガイド部材本体１９と、摺動部１８を挟んで対向し、外方に向か
って立設された一対のガイド壁２０とを具備している。
【０００５】
また、被ガイド部材１７は、図８で示すような平板形状とされてガイド部材１３の摺動
部１８を摺動するものであり、電動鋸１５のベース板１６に装着される取付部２１を具備
している。すなわち、電動鋸１５のベース板１６における所定位置には貫通孔２２が形成
されており、これらの貫通孔２２を挿通した被ガイド部材１７の取付部２１が取付ネジ２
３で固定されるのに伴って被ガイド部材１７は電動鋸１５のベース板１６に装着される。
なお、図８中の符号２４は切断刃カバーであり、この切断刃カバー２４は電動鋸１５の切
断刃１４を被って開閉自在に設けられている。
【０００６】
ところで、軒樋切断治具１１を使用した軒樋１２の切断作業にあっては、図示省略して
いるが、まず最初に、軒樋１２の長手方向における任意位置にガイド部材１３を被着し、
かつ、電動鋸１５のベース板１６に被ガイド部材１７を装着することが実行される。そし
て、ガイド部材１３が具備するガイド部材本体１９の摺動部１８に沿って被ガイド部材１
７を摺動させることにより電動鋸１５を前進させると、切断刃１４を被っている切断刃カ
バー２４の開放側端部２４ａがガイド壁２０の端部２５（２６）に当接する。
【０００７】
すると、切断刃カバー２４は、ガイド壁２０の端部２５（２６）によって電動鋸１５の
前進方向とは交差する方向の外方へと押し開かれることになり、切断刃カバー２４が押し
開かれるのに伴って露出した電動鋸１５の切断刃１４でもって軒樋１２の切断が実行され
る。すなわち、軒樋切断治具１１を使用した場合、このような手順に従って軒樋１２は切
断される。
【特許文献１】特開２００３−９７００２号公報
【発明の開示】
【発明が解決しようとする課題】
【０００８】
前記提案にかかる軒樋切断治具１１を使用して軒樋１２を切断する際には、切断刃カバ
ー２４の開放側端部２４ａがガイド壁２０の端部２５，２６のいずれか一方に当接し、か
つ、切断刃カバー２４がガイド壁２０の端部２５，２６で押し開かれるのに伴って切断刃
１４が露出する。しかしながら、図６及び図７で示すように、ガイド部材１３が具備して
いるガイド壁２０の両端部２５，２６それぞれ、つまり、その一方側端部２５は凹んだ外
面形状とされ、その他方側端部２６は平坦な外面形状とされているのが実情である。
【０００９】
そのため、ガイド壁２０の両端部２５，２６のいずれか一方に対して切断刃カバー２４
の開放側端部２４ａが当接したとしても、ガイド壁２０の一方側端部２５または他方側端
部２６によって切断刃カバー２４が外方へと押し開かれることにはなり難い。そして、ガ
イド壁２０の両端部２５，２６いずれかにより切断刃カバー２４を十分に押し開くことが
できなかった場合には、電動鋸１５の切断刃１４が十分に露出しないため、軒樋１２を切
断することが困難となり、従来例同様、軒樋１２の切断面が乱れ、その仕上がり状態が不
良となってしまう。
【００１０】
本発明はこれらの問題点に鑑みて創案されたものであって、電動鋸に設けられた切断刃
カバーを滑らかに押し開くことが可能であり、切断刃を確実かつ十分に露出させることが
できる構成とされた軒樋切断治具の提供を目的としている。
【課題を解決するための手段】
【００１１】
請求項１記載の本発明にかかる軒樋切断治具は、切断される軒樋の外面に着脱自在で被
着されるガイド部材と、切断刃を備えた電動鋸のベース板に着脱自在で装着される被ガイ
ド部材とからなり、この被ガイド部材がガイド部材によりガイドされながら移動するのに
伴って電動鋸の切断刃が軒樋を切断するのに使用されるものである。そして、ガイド部材
は、被ガイド部材の摺動する摺動部が形成されたガイド部材本体と、摺動部を挟んで対向
し、外方に向かって立設された一対のガイド壁とを具備しており、電動鋸の切断刃を被っ
て開閉自在に設けられた切断刃カバーの開放側端部が当接するガイド壁それぞれの両端部
は、切断刃カバーを滑らかに押し開くのに適した外面形状を有している。
【００１２】
請求項２記載の本発明にかかる軒樋切断治具は請求項１に記載したものであり、ガイド
壁それぞれの両端部の外面形状は、電動鋸の前進方向と交差する方向で外拡がりとなる向
きに傾斜した形状とされている。
【００１３】
請求項３記載の本発明にかかる軒樋切断治具は請求項１または請求項２に記載したもの
であり、ガイド壁それぞれは、電動鋸の切断刃カバーを押し開いたまま維持し続けるのに
適した外面形状及び厚みを有している。
【発明の効果】
【００１４】
請求項１記載の軒樋切断治具であれば、電動鋸の前進に伴ってガイド壁の端部に当接し
た切断刃カバーは、ガイド壁の端部によって滑らかに押し開かれる。従って、電動鋸の切
断刃を確実かつ十分に露出させることが可能となり、その結果、軒樋の切断作業が容易に
なるとともに、切断面の仕上がり状態を良好とすることができる。
【００１５】
請求項２記載の軒樋切断治具であれば、ガイド部材が具備しているガイド壁それぞれの
両端部でもって切断刃カバーを滑らかに押し開くことが可能であるため、請求項１記載の
効果を容易に得ることができる。
【００１６】
請求項３記載の軒樋切断治具であれば、軒樋を切断中の全過程で切断刃カバーを押し開
き続けて電動鋸の切断刃を確実かつ十分に露出させることが可能となる。そのため、軒樋
の切断作業を容易としながらも軒樋の切断面が乱れることはなくなり、その仕上がり状態
を良好とすることができる。
【発明を実施するための最良の形態】
【００１７】
電動鋸に設けられた切断刃カバーを滑らかに押し開くことが可能であり、切断刃を確実
かつ十分に露出させることができる構成を、極めて容易な変更によって実現した。
【実施例】
【００１８】
図１は実施例にかかる軒樋切断治具の取付状態を示す説明図、図２は軒樋切断治具が備
えるガイド部材を示す斜視図、図３は軒樋切断治具が備えるガイド部材を示す側面図であ
り、図４は軒樋切断治具の使用状態を手順に従って示す説明図である。なお、実施例にか
かる軒樋切断治具の構造は従来の提案にかかる軒樋切断治具と基本的に異ならないので、
図１〜図４において、図５〜図８と同一の部品、部分については同一符号を付している。
また、実施例にかかる軒樋切断治具の備える被ガイド部材は従来の提案にかかるものと同
一であるので、ここでは、図８を参照しながら説明する。
【００１９】
軒樋切断治具１は、角型の軒樋１２をその長手方向の任意位置で精度よく切断するため
に使用されるものである。そして、この軒樋切断治具１は、軒樋１２の外面に着脱自在で
被着されるガイド部材２と、切断刃１４を具備した電動鋸１５のベース板１６に着脱自在
で装着される被ガイド部材１７とを備えている。
【００２０】
ここで、角型の軒樋１２は、図１で示すように、水平板状の底壁３１の前端から前壁３
２が上方に立設し、この底壁３１の後端から後壁３３が上方に立設して形成された断面略
Ｕ字状を有するものである。このとき、前壁３２と後壁３３とは互いに対向しており、前
壁３２の上端には後方に向けて突出した前耳部３４が形成され、後壁３３の上端には前方
に向けて突出した後耳部３５が形成されている。なお、この軒樋１２にあっては、前壁３
２と底壁３１との間に軒樋１２の内方へ向かって突出した段部３６が形成されている。
【００２１】
軒樋切断治具１を構成するガイド部材２は、図２及び図３で示すように、軒樋１２の外
面と対応した湾曲形状を有し、被ガイド部材１７の摺動する摺動部３が外側に形成された
ガイド部材本体４と、摺動部３を挟んで対向し、外方に向かって立設された一対のガイド
壁５とを具備している。すなわち、ここでのガイド部材２は、軒樋１２の長手方向の任意
位置に対し、軒樋１２の周方向にわたって軒樋１２の外面に被着されるガイド部材本体４
を具備しており、このガイド部材本体４の幅方向の両側縁には、ガイド部材２の周方向に
わたるガイド壁５が外方に向かってそれぞれ立設されている。
【００２２】
より詳しく説明すると、ガイド部材本体４は、一定の幅寸法を有し、かつ、軒樋１２の
外形形状（断面形状）に合わせた板状とされたものであり、具体的には、軒樋１２の底壁
３１の外側を被覆する底壁被覆部４１と、軒樋１２の前壁３２の外側を被覆する前壁被覆
部４２と、軒樋１２の後壁３３の外側を被覆する後壁被覆部４３とがガイド部材本体４の
周方向に沿って連設されている。また、軒樋１２の前耳部３４を引掛けるための前耳フッ
ク４４が前壁被覆部４２の上端に形成され、軒樋１２の後耳部３５を引掛けるための後耳
フック４５が後壁被覆部４３の上端に形成されている。
【００２３】
なお、底壁被覆部４１と前壁被覆部４２との間には、軒樋１２の段部３６の外側を被覆
するための段部被覆部４６が形成されている。そして、このガイド部材本体４は、底壁被
覆部４１、前壁被覆部４２及び後壁被覆部４３で囲まれた内方空間が、ガイド部材本体４
の幅方向と軒樋１２の長手方向とを合わせるようにしたうえで、軒樋１２に位置決めして
被着されるようになっている。また、ガイド部材本体４内に軒樋１２が位置した際には、
前耳フック４４が前耳部３４と係合し、かつ、後耳フック４５が後耳部３５と係合するの
で、ガイド部材２と軒樋１２との取付状態は維持される。
【００２４】
さらに、このガイド部材２では、ガイド部材本体４に形成された摺動部３を挟んで対向
し、外方に向かって立設された一対のガイド壁５がガイド部材２の周方向にわたって形成
されている。そして、これらガイド壁５それぞれの両端部６，７、つまり、前耳フック４
４及び後耳フック４５と各別に対応する前側及び後側の両端部６，７に対しては、電動鋸
１５の切断刃１４を被って開閉自在に設けられた切断刃カバー２４の開放側端部２４ａが
当接するようになっている。そのため、ガイド壁５それぞれの両端部６，７は、切断刃カ
バー２４を滑らかに押し開くのに適した外面形状を有している。
【００２５】
すなわち、この際においては、図２及び図３からも明らかなように、ガイド壁５それぞ
れにおける両端部６，７の外面形状が、電動鋸１５の前進方向と交差する方向で外拡がり
となる向きに傾斜した形状とされている。そして、このとき、これらガイド壁５のそれぞ
れは、電動鋸１５の切断刃カバー２４を押し開いたまま維持し続けるのに適した外面形状
及び厚みを有しており、少なくとも従来の提案にかかる軒樋切断治具１１の場合よりは厚
みが厚くなっている。
【００２６】
一方、ガイド部材２とともに軒樋切断治具１を構成する被ガイド部材１７は、図８で示
すように、従来の提案にかかる軒樋切断治具１１の場合と同様、平板形状とされてガイド
部材２の摺動部３を摺動するものとされており、電動鋸１５のベース板１６に装着される
取付部２１を具備している。そして、この取付部２１は、電動鋸１５のベース板１６に形
成された貫通孔２２を挿通する長板状の上側板と、上板から下向きに１８０°折り返され
てベース板１６の下面に沿うことになる下側板とから構成されている。従って、取付部２
１を構成する上側板が貫通孔２２を挿通したうえ、取付ネジ２３でもって締め付け固定さ
れる結果として被ガイド部材１７は電動鋸１５のベース板１６に装着される。
【００２７】
つぎに、図４を参照しながら、本実施例にかかる軒樋切断治具１を使用した軒樋１２の
切断作業における手順を説明する。まず最初に、軒樋１２の長手方向における任意位置に
ガイド部材２を被着し、かつ、電動鋸１５のベース板１６に被ガイド部材１７を装着する
ことが実行される。そして、ガイド部材２が具備しているガイド部材本体４の摺動部３に
沿って被ガイド部材１７を摺動させることにより電動鋸１５を前進させると、図４（ａ）
で示すように、切断刃１４を被っている切断刃カバー２４の開放側端部２４ａがガイド壁
５の前側端部６に当接する。
【００２８】
すると、切断刃カバー２４は、ガイド壁５の前側端部６によって電動鋸１５の前進方向
とは交差する方向の外方へと向かう方向Ａに押し開かれることになり、切断刃カバー２４
が押し開かれるのに伴って露出した電動鋸１５の切断刃１４でもって軒樋１２の切断、つ
まり、この軒樋１２の前壁３２からの切断が開始される。その後、図４（ｂ）で示すよう
に、電動鋸１５の切断刃カバー２４は、ガイド部材２のガイド壁５によって押し開かれた
ままの状態を維持し続けることとなり、図４（ｃ）で示すように、電動鋸１５のベース板
１６に装着された被ガイド部材１７がガイド部材２の摺動部３に従って摺動するのに伴っ
て電動鋸１５の切断刃１４は軒樋１２を切断し続ける。
【００２９】
すなわち、軒樋切断治具１を使用した場合、このような手順に従って軒樋１２は切断さ
れることになる。ところで、以上説明した切断作業の手順では、軒樋１２をその前壁３２
から切断するとしているが、このような手順に限定されることはなく、軒樋１２をその後
壁３３から切断することも可能である。この場合には、図４（ｄ）で示すように、電動鋸
１５を軒樋１２の後壁３３へ向かって前進させることになり、切断刃カバー２４の開放側
端部２４ａはガイド壁５の後側端部７に当接する。
【００３０】
すると、切断刃カバー２４は、ガイド壁５の後側端部７によって電動鋸１５の前進方向
とは交差する方向の外方へと向かう方向Ａに押し開かれることになり、切断刃カバー２４
が押し開かれるのに伴って露出した電動鋸１５の切断刃１４でもって軒樋１２の後壁３３
からの切断が開始される。その後は、上記したのと同様の手順に従って、軒樋１２の切断
が続行される。
【図面の簡単な説明】
【００３１】
【図１】実施例にかかる軒樋切断治具の取付状態を示す説明図である。
【図２】実施例にかかる軒樋切断治具が備えるガイド部材を示す斜視図である。
【図３】実施例にかかる軒樋切断治具が備えるガイド部材を示す側面図である。
【図４】実施例にかかる軒樋切断治具の使用状態を手順に従って示す説明図である。
【図５】従来の提案にかかる軒樋切断治具の取付状態を示す説明図である。
【図６】従来の提案にかかる軒樋切断治具が備えるガイド部材を示す斜視図である。
【図７】従来の提案にかかる軒樋切断治具が備えるガイド部材を示す側面図である。
【図８】従来の提案にかかる軒樋切断治具が備える被ガイド部材を示す分解斜視図である。
【符号の説明】
【００３２】
１    軒樋切断治具
２    ガイド部材
３    摺動部
４    ガイド部材本体
５    ガイド壁
６    ガイド壁の前側端部
７    ガイド壁の後側端部
１４    切断刃
１５    電動鋸
１６    ベース板
１７    被ガイド部材
２４    切断刃カバー
２４ａ  開放側端部
【図１】
2005088122.tif 000003
【図２】
2005088122.tif 000004
【図３】
2005088122.tif 000005
【図４】
2005088122.tif 000006
【図５】
2005088122.tif 000007
【図６】
2005088122.tif 000008
【図７】
2005088122.tif 000009
【図８】
2005088122.tif 000010